(57)【要約】【課題】分級機構を提供する。【解決手段】ブラスト加工装置に備わる分級機構は、円筒形状を呈し、軸線が水平方向に延びるように設けられ、一端面が閉止板により閉止された整流部材と、整流部材の軸線に対して直角となるように該整流部材の他端に連結され、内部に噴射材を含む粉粒体を分級する空間を有する分級部材と、閉止板を貫通して整流部材の内部に配置され、整流部材と同心状に配置された円筒形状の吸引部材と、噴射材を含む粉粒体を分級機構の内部に投入するための部材であって、整流部材の閉止板側に設けられた投入部材と、を備え、吸引部材は吸引機構と連結されており、投入部材は噴射材が整流部材の内壁に沿って分級部材に向かって移送されるように配置されている。【選択図】図２
2019022942.tif 000002
【特許請求の範囲】
【請求項１】
ブラスト加工装置に備わる分級機構であって、
円筒形状を呈し、軸線が水平方向に延びるように設けられ、一端面が閉止板により閉止された整流部材と、
前記整流部材の軸線に対して直角となるように該整流部材の他端に連結され、内部に噴射材を含む粉粒体を分級する空間を有する分級部材と、
前記閉止板を貫通して前記整流部材の内部に配置され、前記整流部材と同心状に配置された円筒形状の吸引部材と、
噴射材を含む粉粒体を前記分級機構の内部に投入するための部材であって、前記整流部材の前記閉止板側に設けられた投入部材と、
を備え、
前記吸引部材は吸引機構と連結されており、
前記投入部材は噴射材が前記整流部材の内壁に沿って前記分級部材に向かって移送されるように配置されている、分級機構。
【請求項２】
前記整流部材の内壁面と、前記整流部材の内部に位置する前記吸引部材の外壁面により整流部が形成されており、
前記整流部の端面に対向する位置にある前記分級部材の壁面が該端面に対して平行であり、
前記整流部の長さに対する前記整流部の端面から該端面に対向する位置にある前記分級部材の壁面までの長さの割合が１．２５〜１．７５である、請求項１に記載の分級機構。
【請求項３】
前記整流部において、前記吸引部材の径に対する前記整流部材の径の割合が１．５〜２．０である、請求項２に記載の分級機構。
【発明の詳細な説明】
【技術分野】
【０００１】
本開示は、圧縮空気と共に噴射材を被加工物に向かって噴射する乾式のブラスト加工装置であって、特に吸引式のブラスト加工装置及びブラスト加工方法に関する。
【背景技術】
【０００２】
圧縮空気に噴射材を混合して、ノズルより固気二相流として被加工物に向けて噴射することで、被加工物の表面処理（例えば、バリやスケール除去、端面の形状の調整、面粗度の調整、被加工物の模様形成、薄膜層の除去、等）を行うブラスト加工装置が知られている。ブラスト加工装置は、噴射材を圧縮空気と混合させる方式の違いにより、吸引式及び直圧式の２つに大別される。
【０００３】
吸引式のブラスト加工装置は、ノズル内部に噴射された圧縮空気によりノズル内部に発生する吸引力を利用して、ノズル内部で圧縮空気と噴射材とを混合する構成である（例えば、特許文献１）。このタイプのブラスト加工装置は、直圧式のような加圧タンクを必要としないので、ブラスト加工装置自体がコンパクトである。
【０００４】
ブラスト加工装置は、通常、噴射された噴射材を含む粉粒体を回収して分級した後、再使用可能な噴射材のみを再びノズルより噴射する。吸引式のブラスト加工装置では、分級した噴射材をノズルの吸引力でノズル内部に吸引する必要がある。その為、特許文献１のように、筐体の上部に分級装置や分級後の噴射材を貯留するホッパを配置して、吸引力の他に重力を利用するのが一般的である。
【先行技術文献】
【特許文献】
【０００５】
【特許文献１】特開平０４−０８７７７１号公報
【発明の概要】
【発明が解決しようとする課題】
【０００６】
従来の装置は、分級装置や分級後の噴射材を貯留するホッパが上方に配置されているため、装置全体のサイズが大型となる。その為、従来の装置では、例えば、別の種類の噴射材と入れ替えを行う際のこれらの機器の清掃や、これらの機器に不具合が生じた場合の点検作業、等のメンテナンス性が良好とはいえない。また、従来の装置では、ブラスト加工装置を工場へ配置する際の設置スペースの条件を満たさないおそれがある。そして、従来の装置では、工場内の視界が妨げられるおそれがある。本技術分野では、コンパクトな吸引式のブラスト加工装置及びブラスト加工方法が望まれている。
【課題を解決するための手段】
【０００７】
本発明の一側面は、噴射材を圧縮空気と共に噴射するブラスト加工用ノズルを備えたブラスト加工装置である。一側面に係るブラスト加工装置は、筐体、ブラスト加工用ノズル、分級機構、吸引機構、貯留ホッパ、及び、噴射材移送機構をそれぞれ含む。筐体は、内部に閉じられた空間であるブラスト加工室を画成する。ブラスト加工用ノズルは、ブラスト加工室に収容され、噴射材を圧縮空気と共に噴射する。分級機構は、ブラスト加工室に接続され、その内部で噴射材を含む粉粒体を分級する。吸引機構は、分級機構に接続され、分級機構の内部を吸引する。貯留ホッパは、分級機構に接続され、分級機構により分級された噴射材を貯留する。噴射材移送機構は、貯留ホッパに設けられ、貯留ホッパに貯留された噴射材をブラスト加工用ノズルに移送する。ブラスト加工用ノズルは、圧縮空気を供給する空気ノズルと、噴射材及び圧縮空気を噴射する噴射ノズルと、空気ノズル及び噴射ノズルが挿嵌され、噴射材移送機構に接続された噴射材吸引口を有するノズルホルダを有する。そして、貯留ホッパは、ブラスト加工用ノズルより下方に配置される。
【０００８】
本発明の一側面においては、従来に比べて低い位置に分級機構が配置されるので、ブラスト加工装置全体がコンパクトになる。ただし、貯留タンクが筐体の下部、即ちブラスト加工用ノズルより下方に位置する場合、ブラスト加工用ノズルの内部で発生した吸引力のみで噴射材をブラスト加工用ノズルに安定して移送させることは困難である。本発明の一側面においては、噴射材移送機構が設けられているため、噴射材を安定してブラスト加工用ノズルに移送することができる。
【０００９】
一実施形態では、ブラスト加工装置は基台をさらに備えてもよい。そして、筐体は前記ブラスト加工室を前記基台から離間させて支持するように該基台に配置してもよい。そして、分級機構及び貯留ホッパは前記筐体の内部であってブラスト加工室と基台との間に配置してもよい。従来に比べてより低い位置に分級機構が配置されるので、ブラスト加工装置がよりコンパクトになる。
【００１０】
一実施形態では、噴射材移送機構は、ノズルホルダ内に空気ノズルから圧縮空気を供給することで発生した吸引力により外気を吸引し、当該外気の流れを用いて噴射材を移送してもよい。噴射材を移送するための動力源を別途設けることなく、噴射材を安定してブラスト加工用ノズルに移送することができる。
【００１１】
一実施形態では、貯留ホッパは、第１側面及び第１側面に対向する第２側面を有してもよい。そして、噴射材移送機構は、第１側面を貫通し、後端が貯留ホッパの内部に配置された噴射材取出管と、噴射材取出管に対向した第２側面の位置を貫通し、先端が貯留ホッパの内部に配置された外気導入管と、を備えてもよい。簡素な構成で噴射材をブラスト加工用ノズルに移送することができる。
【００１２】
一実施形態では、外気導入管の先端が噴射材取出管に挿入されており、当該外気導入管の外壁と当該噴射材取出管の内壁との隙間が調整可能な構成としてもよい。この構成により、ブラスト加工用ノズルに移送する噴射材の量を任意に設定することができるので、加工能力を設定することができる。
【００１３】
一実施形態では、外気導入管は、その外径が噴射材取出管の内径より大きく、且つ該外気導入管の先端にはその外径が該噴射材取出管の内径より小さくなるように連続的に縮径する部位が設けてもよい。外気導入管の外壁と噴射材取出管の内壁との隙間を容易に調整することができる。
【００１４】
一実施形態では、前記分級機構は、整流部材、分級部材、吸引部材及び投入部材をそれぞれ含んでもよい。整流部材は、円筒形状を呈し、軸線が水平方向に延びるように設けられ、一端面が閉止板により閉止される。分級部材は、整流部材の軸線に対して直角となるように該整流部材の他端に連結され、内部に噴射材を含む粉粒体を分級する空間を有する。吸引部材は、円筒形状を呈し、閉止板を貫通して整流部材の内部に配置され、整流部材と同心状に配置される。投入部材は、噴射材を含む粉粒体を前記分級機構の内部に投入するための部材であって、前記整流部材の前記閉止板側に設けられる。そして、吸引部材は吸引機構と連結されており、投入部材は噴射材が整流部材の内壁に沿って分級部材に向かって移送されるように配置されている。この構成により、分級機構が従来のサイクロン式分級機より小型化できるので、ブラスト加工装置全体をコンパクトにすることができる。
【００１５】
一実施形態では、整流部材の内壁面と、整流部材の内部に位置する吸引部材の外壁面により整流部が形成されており、整流部の端面に対向する位置にある分級部材の壁面が該端面に対して平行であり、整流部の長さに対する整流部の端面から該端面に対向する位置にある分級部材の壁面までの長さの割合が１．２５〜１．７５としてもよい。一形態では、整流部において、吸引部材の径に対する整流部材の径の割合が１．５〜２．０としてもよい。この範囲とすることで、噴射材を含む粉粒体を整流部で良好に整流することができるので、再利用可能な噴射材のみを精度良く回収することができる。
【００１６】
これらの構成のブラスト加工装置によるブラスト加工方法の一実施形態は、吸引機構によりブラスト加工室内を吸引する吸引工程と、空気ノズルに圧縮空気を供給して噴射材を噴射ノズルから被加工物に向けて噴射する噴射工程と、噴射材を衝突させて被加工物の研掃を行う工程と、噴射された噴射材を含む粉粒体から噴射材を分級機構により回収する分級工程と、を含む。そして、分級工程は、吸引機構の作動により分級機構内を負圧にすると共に整流部において旋回しながら分級部材に向かう気流を発生させる工程と、噴射材を含む粉粒体を投入部材より該分級機構内に投入する工程と、該粉粒体を気流により旋回させながら該分級部材に向かって前進させる工程と、該分級部材に到達した該噴射材を含む粉粒体から噴射材を該分級部材の底部に向かって落下させると共に残りの粉粒体を吸引部材より吸引する工程と、を含んでもよい。一実施形態によれば、従来のブラスト加工装置のような縦長の風力分級機を用いなくとも再利用可能な噴射材を精度良く回収できるので、複数の被加工物のブラスト加工を行っても加工程度のバラツキが少ないブラスト加工を行うことができる。
【発明の効果】
【００１７】
以上説明したように、本発明の種々の側面及び実施形態によれば、従来のブラスト加工装置よりコンパクトなブラスト加工装置、及び、当該装置を用いた加工方法が提供される。
【図面の簡単な説明】
【００１８】
【図１】本実施形態に係るブラスト加工装置の外観を示す模式図である。図１の（Ａ）は正面図、図１の（Ｂ）は右側面図、図１の（Ｃ）は背面図、である。
【図２】図１の（Ａ）におけるＡ−Ａ断面を示す模式図である。
【図３】図２に示すブラスト加工用ノズルを説明するための模式図（部分断面図）である。
【図４】図２に示す分級機構を説明するための模式図である。図４の（Ａ）は側面図、図４の（Ｂ）は図４の（Ａ）におけるＡ−Ａ断面を示す模式図、である。
【図５】図２に示す貯留ホッパ及び噴射材移送機構を説明する模式図である。
【図６】図１に示すブラスト加工装置のブラスト加工方法を説明するフローチャートである。
【図７】図１に示すブラスト加工装置の分級工程を説明するフローチャートである。
【発明を実施するための形態】
【００１９】
本実施形態に係るブラスト加工装置の一例を、図を用いて説明する。本発明は本実施形態に限定されず、発明の範囲を逸脱しない限りにおいて、変更、修正、改良を加えることができる。なお、以下の説明における「上下左右の方向」は、特に断りのない限り図中の方向を指す。「上下」が図中のＺ方向であり、「左右」が図中のＸ方向、奥行き方向が図中のＹ軸の正の方向、手前方向が図中のＹ軸の負の方向である。
【００２０】
図１及び図２に、本実施形態のブラスト加工装置１を示す。図１は、本実施形態に係るブラスト加工装置１の外観を示す模式図である。図１の（Ａ）は正面図、図１の（Ｂ）は右側面図、図１の（Ｃ）は背面図、である。図２は、図１の（Ａ）におけるＡ−Ａ断面を示す模式図である。ブラスト加工装置１は、例えば、ブラスト加工用ノズル１０、筐体２０、分級機構３０、吸引機構４０、貯留ホッパ５０、噴射材移送機構６０、及び、底面を形成する基台７０を備えている。
【００２１】
ブラスト加工用ノズル１０は、いわゆる吸引式である。ブラスト加工用ノズル１０は、後述するブラスト加工室Ｒに配置され、圧縮空気と共に噴射材を噴射する。図３は、図２に示すブラスト加工用ノズルを説明するための模式図（部分断面図）である。図３に示すように、ブラスト加工用ノズル１０は、例えば、ノズルホルダ１１、円筒形状の空気ノズル１２、及び、円筒形状の噴射ノズル１３を備えている。ノズルホルダ１１は、その内部に圧縮空気と噴射材とを混合する混合室１１ｃが形成されている。ノズルホルダ１１は、混合室１１ｃに連通する３つの開口を備えている。例えば、ノズルホルダ１１は、噴射材吸引口１１ａ、空気ノズル挿入口１１ｄ及び噴射ノズル挿入口１１ｅを有する。空気ノズル挿入口１１ｄ及び噴射ノズル挿入口１１ｅは、その中心が同軸である。噴射材吸引口１１ａは、空気ノズル挿入口１１ｄ及び噴射ノズル挿入口１１ｅが並ぶ方向と交差する向きに形成されている。噴射材吸引口１１ａは、噴射材をノズルホルダ１１内部に投入（吸引）するための開口である。噴射材吸引口１１ａは、ノズルホルダ１１の内部に形成された経路１１ｂに連通されている。経路１１ｂは、混合室１１ｃに連通している。空気ノズル１２は、空気ノズル挿入口１１ｄ（ノズルホルダ１１の一端側（図３では上端面側））に挿嵌して固定されている。噴射ノズル１３は、噴射ノズル挿入口１１ｅ（ノズルホルダ１１の他端側）に挿嵌して固定されている。空気ノズル１２及び噴射ノズル１３は、それぞれの横断面の中心線が略同一線上に位置するように配置されている。ノズルホルダ１１及び噴射ノズル１３の内面によって、ノズルホルダ１１の内部には、混合室１１ｃが画成される。
【００２２】
空気ノズル１２は、ノズルホルダ１１内部に圧縮空気を噴射する為のノズルである。圧縮空気の経路１２ａには、圧縮空気の流速を加速させるための加速部１２ｂを有している。空気ノズル１２は図示しないコンプレッサに接続されている。
【００２３】
噴射ノズル１３は、混合室１１ｃで混合された圧縮空気と噴射材とを固気二相流として噴射口１３ａより噴射する為のノズルである。固気二相流の経路は、ノズルホルダ１１側端面より、先端に向かって連続して縮径している加速部１３ｃと、加速部１３ｃを通過した固気二相流の流れを整流する整流部１３ｄと、で形成されている。
【００２４】
空気ノズル１２によりノズル内部に圧縮空気が噴射されると、ノズルホルダ１１の内部、即ち混合室１１ｃで吸引力が発生する。この吸引力は空気ノズル１２の先端と噴射ノズル１３の内壁面との距離によって大きさが変わるので、最適な吸引力となるように空気ノズル１２を上下方向に調整し、図示しないボルト等でノズルホルダ１１に固定する。噴射材吸引口１１ａより投入（吸引）された噴射材は、経路１１ｂを通過し、混合室１１ｃに移送される。混合室１１ｃに到達した噴射材は、圧縮空気と混合される。混合された圧縮空気と噴射材は、経路１３ｂを通り、噴射口１３ａより噴射される。
【００２５】
噴射ノズル１３からの噴射圧力の調整は、後述の外枠２３の前面に配置された圧力調整弁Ｖによって行う。圧力調整弁Ｖは、外部のエアコンプレッサ（図示せず）から空気ノズル１２への経路に設けられている。噴射ノズル１３から噴射している際に、圧力調整弁Ｖに連結された圧力計の数値が所定の圧力を指すように圧力調整弁Ｖによって圧縮空気の圧力が調整される。なお、この経路の途中には、さらに電磁弁Ｅ及び電磁弁Ｅに連結されたフットスイッチ（図示せず）が設けられており、当該フットスイッチによって電磁弁ＥのＯＮ・ＯＦＦ、即ち空気ノズル１２への圧縮空気の供給の有無を切り替えることができる。
【００２６】
筐体２０は、図１及び図２に示すように、例えば、上部ケーシング２１、下部ケーシング２２、及び、下部ケーシング２２に固定された外枠２３を備える。筐体２０は、その内部にブラスト加工室Ｒを画成する。具体的には、上部ケーシング２１及び下部ケーシング２２の内部にブラスト加工室Ｒが画成されている。
【００２７】
上部ケーシング２１は、例えば、底面が開口された箱状を呈する。開口の形状は、例えば、四角形である。上部ケーシング２１は、ブラスト加工室Ｒを画成する部材の一つである。具体的には、上部ケーシング２１は、基台７０に対してそれぞれ平行に対向する天面及び底面、底面に対して垂直に立設された４つの側面（それぞれ平行に対向する左右側面、前面及び背面）、並びに、天面と前面及び背面とを連結するように設けられた斜面を有する。上部ケーシング２１の前面側の斜面には、ブラスト加工室Ｒの内部を観察可能な観察窓（のぞき窓）２１ａが設けられている。また、上部ケーシング２１の天面には外光をブラスト加工室Ｒの内部に取り入れるための採光窓２１ｂが設けられている。観察窓２１ａ及び採光窓２１ｂは、例えば、石英ガラスなどで形成された可視性を有する板部材を窓枠部材に嵌め込んで形成される。また、上部ケーシング２１の前面には、作業部２１ｃが設けられている。作業部２１ｃは、ブラスト加工室Ｒに連通する開口である。作業部２１ｃは、ブラスト加工室Ｒ内を吸引した際に外気を取り込むための吸気口と、ブラスト加工時に作業者がブラスト加工室Ｒ内に手を入れるための開口部と、を兼ねている。本実施形態では、作業部２１ｃには、中心部より放射状の複数本の切り込みを設けたゴム板が固定されている。
【００２８】
下部ケーシング２２は、例えば、上端面が開口された逆円錐台形状を呈する。下部ケーシング２２は、ブラスト加工室Ｒを画成する部材の一つである。下部ケーシング２２は、上部ケーシング２１の底面より僅かに大きい上端面を有し、底面に向かって横断面の面積が連続して縮小する形状である。下部ケーシング２２の上端には、上部ケーシング２１の下端が嵌装される枠体２２ａが立設されている。また、下部ケーシング２２の下端には、後述の投入部材３４が接続されており、ブラスト加工室Ｒと分級機構３０とが投入部材３４を介して連結されている。
【００２９】
外枠２３は、例えば、上下端面が開口された箱状を呈する。開口の形状は、例えば、四角形である。外枠２３は、基台７０に立設されている。外枠２３の上端は、下部ケーシング２２の枠体２２ａに固定されている。つまり、外枠２３は、下部ケーシング２２を基台７０から離間させて支持している。外枠２３は、下部ケーシング２２を基台７０に対して所定の高さとなるように固定することができる。外枠２３の前面及び背面の下部には、開口部（切り欠き）２３ａ，２３ｂがそれぞれ設けられている。外枠２３の前面側の開口部２３ａは、後述のように、分級機構３０、吸引機構４０、貯留ホッパ５０、又は、噴射材移送機構６０のメンテナンスを行う際に、作業員がこれらの構成要素にアクセスするために用いられることができる。外枠２３の背面側の開口部２３ｂは、吸引機構４０により吸引した空気の排気及び吸引機構４０にて発生した熱の放熱を行うことができる。
【００３０】
また、外枠２３の背面には、上部ケーシング２１の背面の下端と外枠２３（即ち下部ケーシング２２）の背面の上端とが連結するように蝶番２４が設けられている。これにより、上部ケーシング２１は、その背面の下端を中心として回動可能に設けられている。より具体的には、上部ケーシング２１は蝶番２４を中心に回動可能となっている。上部ケーシング２１が回動することで、ブラスト加工室Ｒをブラスト加工装置１の前面で開閉することができる。また、外枠２３の前面にはラッチ錠２５が設けられている。ラッチ錠２５によって、上部ケーシング２１と外枠２３（即ち下部ケーシング２２）とが固定される。
【００３１】
外枠２３の側面には、上部ケーシング２１が閉じていることを検知するセンサＳが設けられている。このセンサＳによって上部ケーシング２１が閉じていることを検知しない場合、ブラスト加工装置１は作動しない。つまり、ブラスト加工室Ｒが開いている状態では噴射材をブラスト加工用ノズル１０から噴射することができない。このため、作業者の安全性が向上する。
【００３２】
ブラスト加工室Ｒには、ブラスト加工を行う際にワークを載置できる加工板２６が固定されている。加工板２６には、噴射材を含む粉粒体が底部に向かって通過できる、複数の開口が設けられている。
【００３３】
分級機構３０は、縦型のサイクロン分級機を、ブラスト加工用ノズル１０の下部に位置するように配置してもよいが、本実施形態では図４に示すような構成の分級機構３０を用いる。図４は、図２に示す分級機構３０を説明するための模式図である。図４の（Ａ）は側面図、図４の（Ｂ）は図４の（Ａ）におけるＡ−Ａ断面を示す模式図、である。図４に示すように、本実施形態の分級機構３０には、下部ケーシング２２から噴射材を含む粉粒体が供給される。分級機構３０は、例えば、両端が開口された円筒状の整流部材３１、略箱状の分級部材３２、円筒状の吸引部材３３及び矩形筒状の投入部材３４を備える。
【００３４】
円筒状の整流部材３１は、その軸線（中心軸）が水平方向（Ｘ方向）に延びている。整流部材３１の一端面（図４の（Ｂ）では右側の端面）は、リング状の閉止板３１ａ及び後述する吸引部材３３により閉止されている。整流部材３１の下端には、投入部材３４が接続されている。これにより、投入部材３４を介して粉粒体が整流部材３１の内部に供給される。整流部材３１の他端（図４の（Ｂ）では左側の端面）は、分級部材３２の上部に接続されている。これにより、整流部材３１の内部と分級部材３２の内部とは連通している。
【００３５】
箱状の分級部材３２は、正面方向（Ｙ軸の正の方向）からみて縦長の四角形を呈し、側面方向（Ｘ方向）からみて、円形となる上部及び上部よりも幅の短い下部を有する。より詳細には、分級部材３２の上部は、装置側面方向（図４の（Ａ）の視点（Ｘ方向））からみた縦断面が整流部材３１の径以上の円形である。分級部材３２は、整流部材３１の軸線に対して直角となるように該整流部材３１の他端に連結されている。分級部材３２の下部は、上端から下端に向かって間隔が狭まるように伸延されている。即ち、分級部材３２の下部は、下端に向かって横断面の面積が連続して縮小されている。分級部材３２の側面下端部は、開口されている。分級部材３２の底部には貯留ホッパ５０が固定されている。
【００３６】
円筒形状の吸引部材３３は、その軸線（中心軸）が水平方向（Ｘ方向）に延びている。吸引部材３３の外径は、整流部材３１の内径よりも小さい。吸引部材３３は、整流部材３１の内部に配置される。吸引部材３３は、整流部材３１と同心状に配置される。このように、整流部材３１及び吸引部材３３によって、二重円筒構造になっている。吸引部材３３の一端部（図４の（Ｂ）では右側の端部）は、リング状の閉止板３１ａの開口部に接続されている。吸引部材３３の一端部は、吸引機構４０に接続されている。
【００３７】
吸引機構４０を作動させると、吸引部材３３より整流部材３１及び分級部材３２の空間が吸引されるので、投入部材３４より外気及び噴射材を含む粉粒体が分級機構３０内に吸引される。投入された外気は吸引部材３３からの吸引力によって分級部材３２に向かう。ここで、図４の（Ａ）に示すように、投入部材３４は、その下端面３４ａが整流部材３１の円周内壁面に対して接線となるように設けられている。これにより、吸引された外気は、整流部材３１の内壁面及び吸引部材３３の外壁面にて形成される流路（整流部３１ｂ）を、整流部材３１の内壁に沿って分級部材３２に向かうように螺旋状に流れる。噴射材を含む粉粒体は、この気流に乗って分級部材３２に向かって移送される。なお、投入部材３４は、その上端面３４ｂの延長仮想線が吸引部材３３の円周外壁面に対して接線となるように設けてもよい。この場合であっても、吸引された外気は整流部３１ｂにおいて吸引部材３３の外壁に沿って分級部材３２に向かうように螺旋状に流れ、噴射材を含む粉粒体はこの気流に乗って移送される。
【００３８】
整流部３１ｂを通過した噴射材を含む粉粒体は、更に旋回しながら前進を続け分級部材３２に到達する。そして、旋回を続けながら減速しつつ更に前進を続ける（図４（Ｂ）における矢印「ａ」）。減速する際に、重い粒子である再使用可能な噴射材は重力により分級部材３２の底部に落下し、貯留ホッパ５０に堆積する（同図における矢印「ｂ」）。一方、軽い粒子である再使用できない噴射材やブラスト加工で生じた切削粉（これらを総じて、以降「粉塵」と記す）は、吸引部材３３より吸引機構４０に吸引される（同図における矢印「ｃ」）。
【００３９】
ここで、整流部３１ｂの長さ又は整流部３１ｂの先端面（即ち、吸引部材３３の先端面であって、図４（Ｂ）における左側断面）から該先端面に対向する位置にある分級部材３２の壁面までの長さが短すぎると分級効率が低下する。整流部３１ｂの長さが必要以上に短すぎると、噴射材を含む粉粒体は旋回する力を十分に得ることができないので、整流部３１ｂを通過した直後に整流部材３１の先端面から吸引されることになる。その時、再利用可能な噴射材も吸引されるので、分級効率が低下する。また、整流部３１ｂの先端面から該先端面に対向する位置にある分級部材３２の壁面までの長さが必要以上に短すぎると、噴射材が十分に減速されずに壁面に衝突して跳ね返り、吸引部材３３近傍まで到達した再利用可能な噴射材は、吸引部材３３の先端面から吸引されるので、分級効率が低下する。一方、整流部３１ｂの長さ又は整流部３１ｂの先端面から該先端面に対向する位置にある分級部材３２の壁面までの長さが必要以上に長すぎると分級機構３０自体が大型化する。従って、良好な分級効率が得られ、且つ分級機構３０が必要以上に大型化しないようにするために、整流部３１ｂの長さＬ１に対する整流部３１ｂの先端面から該先端面に対向する位置にある分級部材３２の壁面までの長さＬ２の比（Ｌ２／Ｌ１）を１．２５〜１．７５の範囲で設定してもよい。
【００４０】
整流部３１ｂにおいて、吸引部材３３の径に対する整流部材３１の径が小さすぎると整流部３１ｂの空間が狭すぎて噴射材を含む粉粒体の通過が阻害される。その結果、整流部３１ｂにおいて、噴射材を含む粉粒体は分級部材３２に向かって前進する速度が遅くなり、整流部３１ｂを通過した直後に吸引部材３３の先端面から吸引されることになる。その時、再利用可能な噴射材も吸引されるので、分級効率が低下する。その為、噴射材を含む粉粒体が良好に通過できる大きさとなるように整流部材３１の径を大きくする必要があるが、大きすぎると分級機構３０が大型化する。また、吸引部材３３の径が小さすぎると吸引速度が速くなりすぎて、再使用可能な噴射材も吸引されるので、分級効率が低下する。吸引部材３３の径が大きすぎる場合は、先述のように整流部材３１の径を大きくする必要があるので、分級機構３０が大型化する。従って、良好な分級効率が得られ、且つ分級機構３０が必要以上に大型化しないようにするために、吸引部材３３の径Ｄ１に対する整流部材３１の径Ｄ２の比（Ｄ２／Ｄ１）を１．５〜２．０の範囲で設定してもよい。
【００４１】
整流部３１ｂにおける風量が遅すぎると噴射材を含む粉粒体の速度が遅くなりすぎて、整流部３１ｂを通過した直後に吸引部材３３の先端面から吸引されることになる。風量が速すぎると噴射材を含む粉粒体の速度が速くなりすぎて、分級部材３２の壁面に衝突して跳ね返った噴射材を含む粉粒体が吸引部材３３の先端近傍まで移動する。いずれの場合も、再利用可能な噴射材も吸引されるので、分級効率が低下する。従って、良好な分級効率を得るために、整流部３１ｂの先端における風量を２．１〜３．６ｍ３／ｍｉｎとなるように調整してもよい。
【００４２】
本実施形態の分級機構３０では、ブラスト加工で一般的に用いられる噴射材を良好に分級することができる。噴射材は、鉄系及び非鉄金属系のショット及びカットワイヤ及びグリッド、セラミックスの粒子（例えば、アルミナや炭化珪素やジルコン等）、ガラスの粒子、樹脂の粒子（例えば、ナイロン樹脂やメラミン樹脂やユリア樹脂等）、植物種子の粒子（例えば、くるみやピーチ等）、等が挙げられる。これらの噴射材の比重に合わせて、その粒子径を適宜選択する。例えば、比重が１．１〜４．０の噴射材（アルミナ質の粒子、ガラスビーズ、ナイロン、くるみ等）の場合は粒子径を４５〜８５０μｍ、比重が７．２〜７．９の噴射材（鉄系のショット等）の場合は４５〜５００ μｍの範囲から選択することができる。
【００４３】
分級部材３２は、本実施形態の形状に限定されず、円筒形状や多角形の筒形状としてもよい。また、本実施形態のように下端に向かって横断面の面積を連続して縮小した部分を有してもよい。
【００４４】
本実施形態の分級機構３０は、縦型のサイクロン型分級機のような従来のブラスト加工装置で使用されていた分級機よりも小型である。このため、ブラスト加工装置全体をコンパクトにすることができる。
【００４５】
吸引機構４０は、密閉された箱体である吸引機構本体４１と、吸引機構本体４１に連結される吸引力発生源４２と、を備える。吸引機構本体４１は分級機構３０に連結されており、吸引部材３３と吸引力発生源４２との経路にある吸引機構本体４１内には、粉塵を捕集するためのフィルタ（図示せず）が配置されている。吸引力発生源４２を作動させると、分級機構３０内の粉塵が空気と共に吸引機構本体４１に吸引される。吸引された粉塵は吸引力発生源４２に向かってさらに移送される際にフィルタによって捕集され、空気のみが吸引力発生源４２に移送される。捕集された粉塵は、作業員が開口部２３ａを介して吸引機構本体４１の前面に設けられた開閉扉４１ａにアクセスし、開閉扉４１ａを開けて、フィルタを取り外すことで回収することができる。なお、吸引力発生源４２の作動の切り替えは、外枠２３の前面に配置された操作パネルＰの操作にて行う。
【００４６】
図５は、図２に示す貯留ホッパ及び噴射材移送機構を説明する模式図である。貯留ホッパ５０は、図５に示すように、上端が分級機構３０の分級部材３２の底部に固定される。貯留ホッパ５０は、その内部の空間が分級機構３０と連通されている箱状である。貯留ホッパ５０の底部は、噴射材排出部材５１が設けられており、噴射材排出部材５１の下端には貯留ホッパ５０内の噴射材を排出するための開口が設けられている。この開口には、閉止栓５２が嵌着されている。本実施形態の閉止栓５２は、ゴムで構成される円錐台形状を呈する。ブラスト加工で使用する噴射材を交換する際は、この閉止栓５２を取り外して噴射材を取り出した後、再び閉止栓５２を嵌着すればよい。
【００４７】
貯留ホッパ５０に貯留された噴射材をブラスト加工用ノズル１０に移送するために、貯留ホッパ５０には、噴射材の噴射材移送機構６０が配置されている。噴射材移送機構６０は、図５に示すように、円管状の噴射材取出管６１、円管状の外気導入管取付部材６２及び外気導入管６３を備えている。噴射材取出管６１は、その後端６１ａが貯留ホッパ５０の側壁５０ａ（第１側面）（図５では左側壁、Ｙ軸の負の方向）を貫通するように固定されている。外気導入管取付部材６２は、貯留ホッパ５０における噴射材取出管６１と対向する側壁５０ｂ（第２側面）（図５では右側壁、Ｙ軸の正の方向）を貫通するように固定されている。外気導入管６３は、外気導入管取付部材６２に挿貫して固定されている。
【００４８】
外気導入管６３は、その先端６３ａが噴射材取出管６１の中に位置するように固定される。噴射材取出管６１は、ブラスト加工用ノズル１０の噴射材吸引口１１ａに連結されている。ブラスト加工用ノズル１０の内部で発生した吸引力により、噴射材取出管６１内には当該ブラスト加工用ノズル１０に向かう気流が発生する。その際、外気導入管６３より外気が吸引される。即ち、外気導入管６３の先端では外気流が噴射された状態となる。この気流によって噴射材取出管６１の右端近傍では噴射材吸引口１１ａに向かう気流が発生する。この気流に乗って、貯留ホッパ５０内の噴射材は噴射材取出管６１に吸引され、ブラスト加工用ノズル１０に移送される。
【００４９】
外気導入管６３は、少なくとも先端６３ａが噴射材取出管６１の中に位置すればよい。このため、外気導入管６３は、その外径が噴射材取出管６１の内径より小さい円管としてもよい。あるいは、外気導入管６３は、その外径が噴射材取出管６１の内径より大きく、且つその先端６３ａが噴射材取出管６１の内径より小さくなるように連続的に縮径する部位を設けた形状としてもよい。後者の構成では、外気導入管６３の左右位置を調整することで、外気導入管６３の外壁と噴射材取出管６１の内壁との隙間を調整することができる。この隙間の大きさを変更することで噴射材取出管６１に吸引される噴射材の量を変更することができる。この隙間が広すぎると安定して噴射材を噴射材取出管６１に吸引することができないので、ブラスト加工用ノズル１０からの噴射量が安定しない。即ち安定したブラスト加工を行うことができない。また、この隙間が狭すぎると、噴射材がこの隙間を通過するのが阻害される。この隙間の調整によって、ブラスト加工用ノズル１０に移送される噴射材の量（圧縮空気に対する噴射材の混合比）を調整することができるので、外気導入管６３を操作することでブラスト加工の能力を調整することができる。
【００５０】
以上のように、分級機構３０、吸引機構４０、貯留ホッパ５０、は従来のブラスト加工装置に比べ小型であるので、外枠２３に内包されるように基台７０上に配置することができる。また、噴射材移送機構６０によってブラスト加工用ノズル１０に安定して移送できるので、安定したブラスト加工を行うことができる。その結果、コンパクトで且つ安定してブラスト加工を行うことができる構成となった。
【００５１】
また、基台７０には、図１（Ａ）に示すように、縦断面がコ字状の嵩上ベース７１を固定することができる。ブラスト加工装置を設置する際、嵩上ベース７１によってフォークリフト等で容易に移動することができる。
【００５２】
（ブラスト加工方法）
次に、本実施形態のブラスト加工装置１によるブラスト加工方法について説明する。図６は、図１に示すブラスト加工装置のブラスト加工方法を説明するフローチャートである。
【００５３】
図６に示すように、操作パネルＰを操作し、吸引機構４０を作動して、ブラスト加工室Ｒ内を吸引する（Ｓ１０：吸引工程）。次いで、ラッチ錠２５を開錠し、上部ケーシング２１を開ける（Ｓ１２）。次いで、所定量の噴射材をブラスト加工室Ｒに投入し、噴射材を分級機構３０を介して貯留ホッパ５０に移送する（Ｓ１４）。その後、上部ケーシング２１を閉め、ラッチ錠２５にて施錠して上部ケーシング２１と下部ケーシング２２とを固定する（Ｓ１６）。これにより、閉じられた空間であるブラスト加工室Ｒを形成する。ブラスト加工室Ｒは吸引機構４０により吸引されているので負圧となり、外気が作業部２１ｃよりブラスト加工室Ｒ内に流入する。
【００５４】
作業者が手袋を装着し、作業部２１ｃより手を差し入れて、ブラスト加工用ノズル１０を把持する。次いで、前記フットスイッチを「ＯＮ」にして噴射材を含む固気二相流を噴射口１３ａより噴射する。その際、ブラスト加工装置１の前面に配置されている圧力調整弁Ｖを操作して、所定の噴射圧力となるようにブラスト加工装置１の前面に配置されている圧力計で確認しながら調整した後、前記フットスイッチを「ＯＦＦ」にして噴射材の噴射を停止し、手を抜出する（Ｓ１８）。
【００５５】
次に、ラッチ錠２５を開錠し、上部ケーシング２１を開け（Ｓ２０）、加工板２６上にワーク（被加工物）を載置する（Ｓ２２）。その後、上部ケーシング２１を閉め、ラッチ錠２５にて施錠して上部ケーシング２１と下部ケーシング２２とを固定する（Ｓ２４）。
【００５６】
操作パネルＰを操作し作業者が作業部２１ｃより手を差し入れてブラスト加工用ノズル１０及びワークを把持した後、フットスイッチを「ＯＮ」にして固気二相流を噴射口１３ａより噴射する（Ｓ２６：噴射工程）。そして、手袋を介して作業者自身でワークを噴射口１３ａに対して走査することで、ワークの研掃が行われる（Ｓ２８：研掃工程）。この時、ブラスト加工室Ｒ内は負圧になっているので、噴射材を含む粉粒体（噴射材及び粉塵）がブラスト加工室Ｒから外部に漏れ出すことがない。
【００５７】
ブラスト加工の様子は、前面側斜面に設けられた観察窓２１ａより行うことができる。また、天面に採光窓２１ｂが設けてあるので、ブラスト加工室Ｒ内に投光機を設けなくてもブラスト加工室Ｒを観察することができる。
【００５８】
Ｓ２６及びＳ２８の処理を実行中に、分級工程が行われる。図７は、図１に示すブラスト加工装置の分級工程を説明するフローチャートである。噴射口１３ａより噴射された噴射材を含む粉粒体は吸引機構４０の吸引力によって分級機構３０に移送される。分級機構３０にて、再使用可能な噴射材と粉塵とに分離される。詳しくは、吸引機構４０の吸引力により分級機構３０内は負圧になっており、また整流部３１ｂでは旋回しながら分級部材３２に向かう気流が発生している（Ｓ４０）。まず、この負圧により噴射材を含む粉粒体は投入部材３４より分級機構３０内へ投入される（Ｓ４２）。整流部３１ｂに到達した噴射材を含む粉粒体は、整流部３１ｂにて発生している気流により旋回しながら分級部材３２に向かって前進する（Ｓ４４）。そして、分級部材３２に到達した噴射材のうち、重量が重い再使用可能な噴射材は、重力により落下し、下方に位置する貯留ホッパ５０に貯留される（Ｓ４６）。貯留ホッパ５０に移送された再使用可能な噴射材は、噴射材移送機構６０によりブラスト加工用ノズル１０に移送され、再び噴射口１３ａより噴射される。一方、重量の軽い粉塵は、吸引機構４０に吸引され、吸引機構本体４１内のフィルタに捕集される（Ｓ４８）。以上で図７に示すフローチャートを終了する。
【００５９】
図６に戻り、固気二相流をワークに向けて所定の時間噴射したら、前記フットスイッチを「ＯＦＦ」にして固気二相流の噴射を停止し、手を抜出する。その後、ラッチ錠２５を開錠し、上部ケーシング２１を開け、ワークを回収する（Ｓ３０，Ｓ３２）。このワークに付着した噴射材や粉塵を除去して図６に示す一連のブラスト加工が完了する。
【００６０】
吸引機構本体４１内のフィルタに捕集された粉塵が所定量堆積して吸引能力が低下したら、固気二相流の噴射及び吸引機構４０の作動を停止した後、作業員が外枠２３の開口部２３ａを介してブラスト加工装置１の前面に位置する開閉扉４１ａにアクセスし、開閉扉４１ａを開けてフィルタを取り外してフィルタの清掃を行う。粉塵の堆積具合は、吸引機構本体４１に差圧計を取り付けて、この値により管理してもよいが、１日の作業が終了したらフィルタの清掃を行う程度の管理としてもよい。
【００６１】
噴射材を変更したり、ブラスト加工装置１を清掃したりするために噴射材をブラスト加工装置１から排出する必要がある場合は、上部ケーシング２１及び下部ケーシング２２が固定された状態で、作業員が外枠２３の開口部２３ａを介して閉止栓５２にアクセスし、閉止栓５２を外して、貯留ホッパ５０内の噴射材を排出した後、再び閉止栓５２を噴射材排出部材５１の開口に嵌着する。そして、圧縮空気を噴射するノズル（図示せず）を作業部２１ｃより挿入し、エアブローによるブラスト加工室Ｒ内に付着した噴射材や粉塵の除去、及び前記フットスイッチによるブラスト加工用ノズル１０からの噴射による噴射材の経路からの噴射材の除去を行う。この作業を繰り返すことで、ブラスト加工装置１内の噴射材を完全に排出することができる。
【００６２】
次に、本形態のブラスト加工装置１を検証した結果について説明する。
【００６３】
噴射材として、アルミナ系の粒子（新東工業株式会社製：ＡＦ２４）、擬似粉塵としてアルミナ系の微粒子（新東工業株式会社製：ＷＡ＃８００）を使用した。初期の粉粒体として、噴射材が９８％、擬似粉塵が２％となるように秤量して混合した粉粒体を貯留ホッパ５０に収容した後、ブラスト加工装置１を１０ｍｉｎ作動させてこの粉粒体を噴射した。
【００６４】
ブラスト加工装置１の作動を停止した後、貯留ホッパ５０内の粉粒体を回収した。回収した粉粒体を目開き０．５００ ｍｍの篩にて分級した後、大径粒子及び微粒子のそれぞれの重量を測定して、以下を算出して評価した。
（１）初期の粉粒体の重量に対する試験後の大径粒子の重量の割合
（２）試験後の粉粒体の全重量に対する試験後の微粒子の重量の割合
評価基準は下記の通りである。
【００６５】
○・・・（１）が９５％以上であり、且つ（２）が１％未満である。
【００６６】
△・・・（１）が９５％以上であり、（２）が１％より多く５％未満である。
【００６７】
×・・・（１）が９５％未満、又は（２）が５％以上である。
【００６８】
試験は、整流部３１ｂの長さＬ１に対する整流部３１ｂの先端面から該先端面に対向する位置にある分級部材３２の壁面までの長さＬ２の比（Ｌ２／Ｌ１）、及び吸引部材３３の径Ｄ１に対する整流部材３１の径Ｄ２の比（Ｄ２／Ｄ１）、及び整流部３１ｂにおける風量、をそれぞれ変化させた。その結果を表１に示す。
【表１】
2019022942.tif 000003
【００６９】
整流部３１ｂの長さＬ１に対する整流部３１ｂの先端面から該先端面に対向する位置にある分級部材３２の壁面までの長さＬ２の比（Ｌ２／Ｌ１）が１．２５〜１．７５、及び吸引部材３３の径Ｄ１に対する整流部材３１の径Ｄ２の比（Ｄ２／Ｄ１）が１．５０〜２．００、及び整流部３１ｂにおける風量が２．１〜３．６ｍ３／ｍｉｎの場合、いずれも「△」又は「○」評価となった（実施例１〜８）。Ｌ２／Ｌ１又はＤ２／Ｄ１が比較的低い実施例１及び４は「△」評価であったが、この評価は若干分級性能が劣るが条件を最適化すれば「○」評価となる程度である事を示している。従って、ブラスト加工装置に十分適用することができることが示唆された。一方、風量が２．１〜３．６ｍ３／ｍｉｎを逸脱していた場合は、いずれも「×」評価となり、分級性能が劣ることが判った（比較例１、２）。
【産業上の利用可能性】
【００７０】
以上のように、コンパクトで且つ安定してブラスト加工ができ、操作性に優れたブラスト加工装置及びブラスト加工方法を提供することができる。
【符号の説明】
【００７１】
１…ブラスト加工装置、１０…ブラスト加工用ノズル、１１…ノズルホルダ、１１ａ…噴射材吸引口、１１ｂ…経路（噴射材）、１１ｃ…混合室、１１ｄ…空気ノズル挿入口、１１ｅ…噴射ノズル挿入口、１２…空気ノズル、１２ａ…経路（圧縮空気）、１２ｂ…加速部（圧縮空気）、１３…噴射ノズル、１３ａ…噴射口、１３ｂ…経路（固気二相流）、１３ｃ…加速部、１３ｄ…整流部（固気二相流）、２０…筐体、２１…上部ケーシング、２１ａ…観察窓、２１ｂ…採光窓、２１ｃ…作業部、２２…下部ケーシング、２２ａ…枠体、２３…外枠、２３ａ…開口部、２４…蝶番、２５…ラッチ錠、２６…加工板、３０…分級機構、３１…整流部材、３１ａ…閉止板、３１ｂ…整流部、３２…分級部材、３３…吸引部材、３４…投入部材、４０…吸引機構、４１…吸引機構本体、４１ａ…開閉扉、４２…吸引力発生源、５０…貯留ホッパ、５１…噴射材排出部材、５２…閉止栓、６０…噴射材移送機構、６１…噴射材取出管、６２…外気導入管取付部材、６３…外気導入管、７０…基台、７１…嵩上ベース、ａ、ｂ、ｃ…分級機構内における気流及び噴射材及び粉塵の流れ、Ｅ…電磁弁、Ｐ…操作パネル、Ｓ…センサ、Ｖ…圧力調整弁。
【図１】
2019022942.tif 000004
【図２】
2019022942.tif 000005
【図３】
2019022942.tif 000006
【図４】
2019022942.tif 000007
【図５】
2019022942.tif 000008
【図６】
2019022942.tif 000009
【図７】
2019022942.tif 000010